(57)【特許請求の範囲】
【請求項１】
クライアント端末と、該クライアント端末から配信されるコンテンツを表示可能な複数の表示装置とを対応付けるための認証情報を提供するサーバ装置であって、
クライアント端末の操作に関する情報と対応付けられた認証パターン情報を記憶する記憶部と、
前記複数の表示装置のうちユーザから操作された表示装置に対して、該表示装置から認証パターン情報の返却を受けるまでの期間にて該認証パターン情報を重複して発行できない態様で、前記記憶部に記憶された前記認証パターン情報を発行する発行部と、
を有するサーバ装置。
【請求項２】
前記発行部は、ユーザによりコンテンツを表示するエリアを指定する操作が行われた表示装置に対して、前記認証パターン情報を発行する、
請求項１に記載のサーバ装置。
【請求項３】
前記クライアント端末から該クライアント端末自体の動きを示す動作パターン情報を受信し、前記クライアント端末の傾斜角度の情報に基づいて、同じ傾斜角度の表示装置に対して前記動作パターン情報を転送する転送部、
を有する請求項１または２に記載のサーバ装置。
【請求項４】
前記認証パターン情報に、動作パターンを案内するガイダンス情報を付加する、
請求項１乃至３のいずれか一項に記載のサーバ装置。
【請求項５】
クライアント端末から配信されるコンテンツを表示可能な複数の表示装置と、
前記クライアント端末と表示装置とを対応付けるための認証情報を提供するサーバ装置と、
を有するコンテンツ表示制御システムであって、
前記サーバ装置は、
クライアント端末の操作に関する情報と対応付けられた認証パターン情報を記憶する記憶部と、
前記複数の表示装置のうちユーザから操作された表示装置に対して、該表示装置から認証パターン情報の返却を受けるまでの期間にて該認証パターン情報を重複して発行できない態様で、前記記憶部に記憶された前記認証パターン情報を発行する発行部と、
を有し、
前記表示装置は、
前記クライアント端末の動作パターン情報および前記認証パターン情報を受信する受信部と、
前記受信部が受信した認証パターン情報に基づき、該認証パターン情報に対応する動作パターンを出力したクライアント端末から配信されるコンテンツを表示すると共に前記受信部が受信した認証パターン情報を前記サーバ装置に送信する表示制御部と、
を有するコンテンツ表示制御システム。
【請求項６】
クライアント端末から配信されるコンテンツを表示可能な複数の表示装置と、前記クライアント端末と表示装置とを対応付けるための認証情報を提供するサーバ装置と、を有するコンテンツ表示制御システムを制御するプログラムであって、
前記サーバ装置のコンピュータに、
前記複数の表示装置のうちユーザから操作された表示装置に対して、該表示装置から認証パターン情報の返却を受けるまでの期間にて該認証パターン情報を重複して発行できない態様で、クライアント端末の操作に関する情報と対応付けられた認証パターン情報を記憶する記憶部に記憶された前記認証パターン情報を発行する、
処理を実行させ、
前記表示装置のコンピュータに、
前記クライアント端末の動作パターン情報および前記認証パターン情報を受信し、
受信した認証パターン情報に基づき、該認証パターン情報に対応する動作パターンを出力したクライアント端末から配信されるコンテンツを表示すると共に、受信した認証パターン情報を前記サーバ装置に送信する、
処理を実行させるコンテンツ表示制御プログラム。
【発明の詳細な説明】
【技術分野】
【０００１】
本発明は、サーバ装置、コンテンツ表示制御システムおよびコンテンツ表示制御プログラムに関する。
【背景技術】
【０００２】
室内の壁面や机上に設けられた複数の大型のディスプレイ装置（表示装置）と、各ユーザが所持しているスマートフォン等の携帯端末とを連携させてワークショップを行う環境（場）が考えられている。このような環境では、各ユーザが所持している携帯端末で表示した画面（コンテンツ）を、所望のディスプレイ装置の所望の位置に表示することが一つの態様となる。複数のディスプレイ装置と複数の携帯端末が存在する環境において、ある携帯端末の画面を所望のディスプレイ装置の所望の位置に表示するには、何らかの手法で携帯端末とディスプレイ装置の位置とを紐付ける必要がある。
【０００３】
図１はディスプレイ装置に描いた枠を携帯端末に紐付ける例を示す図である。図１（ａ）に示すように、いずれかのディスプレイ装置にユーザが指やペンにより、表示エリアに相当する枠を描く。その後、図１（ｂ）に示すように、携帯端末をシェークすることで、ディスプレイ装置上の枠と携帯端末とが紐付けられる。これにより、図１（ｃ）に示すように、携帯端末の画面がディスプレイ装置の表示エリアに転送され、表示が行われる。
【０００４】
一方、ディスプレイ装置とモバイル端末とを連携のためにペアリングする技術や、ガイダンスに従った発声によりログイン時の個人認証を行う技術が知られている（特許文献１、２等）。
【先行技術文献】
【特許文献】
【０００５】
【特許文献１】特開２０１３−１７９５８６号公報
【特許文献２】特開２００３−０４４４４４号公報
【発明の概要】
【発明が解決しようとする課題】
【０００６】
上述した枠の描画に続いてシェーク等の操作を行う手法では、次のような問題がある。図２はディスプレイ装置に描いた枠と携帯端末の紐付けが失敗する例を示す図である。すなわち、図２（ａ）に示すように、いずれかのディスプレイ装置にいずれかのユーザが指やペンにより、表示エリアに相当する枠を描く。その後、図２（ｂ）に示すように、複数のユーザがほぼ同時に携帯端末をシェークすると、いずれのユーザの携帯端末をディスプレイ装置上の枠（表示エリア）と紐付けるかが判別できなくなる（図２（ｃ））。
【０００７】
図３はディスプレイ装置が複数の場合の紐付けが失敗する例を示す図である。図３（ａ）に示すように、ほぼ同時に、ディスプレイ装置Ａに携帯端末Ｘのユーザが枠を描き、ディスプレイ装置Ｂに携帯端末Ｙのユーザが枠を描いたとする。ディスプレイ装置Ａ、Ｂでは、枠を認識した時点から、それぞれ所定のリスン期間にわたって携帯端末のシェーク等の動作を監視するが、図３（ｂ）に示すように、リスン期間が重複することとなる。そのため、その重複期間内に携帯端末Ｘ、Ｙにおいて操作が行われた場合、いずれの携帯端末による操作（シェーク等）であるのかを判別できなくなる。
【０００８】
一方、前述した先行技術文献においても、これらの問題は解決されない。
【０００９】
そこで、一側面では、ユーザが所望する表示装置にコンテンツを表示することを目的とする。
【課題を解決するための手段】
【００１０】
開示の形態は、クライアント端末と、該クライアント端末から配信されるコンテンツを表示可能な複数の表示装置とを対応付けるための認証情報を提供するサーバ装置であって、クライアント端末の操作に関する情報と対応付けられた認証パターン情報を記憶する記憶部と、前記複数の表示装置のうちユーザから操作された表示装置に対して、該表示装置から認証パターン情報の返却を受けるまでの期間にて該認証パターン情報を重複して発行できない態様で、前記記憶部に記憶された前記認証パターン情報を発行する発行部と、を有する。
【発明の効果】
【００１１】
ユーザが所望する表示装置にコンテンツを表示することができる。
【図面の簡単な説明】
【００１２】
【図１】ディスプレイ装置に描いた枠を携帯端末に紐付ける例を示す図である。
【図２】ディスプレイ装置に描いた枠と携帯端末の紐付けが失敗する例を示す図である。
【図３】ディスプレイ装置が複数の場合の紐付けが失敗する例を示す図である。
【図４】一実施形態にかかるシステムの構成例を示す図である。
【図５】サーバ装置の機能構成例を示す図である。
【図６】認証動きパターンＤＢのデータ構造例を示す図である。
【図７】携帯端末の傾斜角度によるディスプレイ装置の絞り込みの例を示す図である。
【図８】各種リスト・テーブル等のデータ構造例を示す図である。
【図９】ディスプレイ装置の機能構成例を示す図である。
【図１０】携帯端末の機能構成例を示す図である。
【図１１】サーバ装置、ディスプレイ装置および携帯端末の情報処理にかかるハードウェア構成例を示す図である。
【図１２】実施形態の処理例を示すシーケンス図である。
【図１３】操作および表示の例を示す図である。
【図１４】サーバ装置の処理例を示すフローチャートである。
【図１５】ディスプレイ装置の処理例を示すフローチャートである。
【図１６】携帯端末の処理例を示すフローチャートである。
【図１７】サーバ装置の他の機能構成例を示す図である。
【図１８】ディスプレイ装置の他の機能構成例を示す図である。
【図１９】携帯端末の他の機能構成例を示す図である。
【図２０】実施形態の他の処理例を示すシーケンス図である。
【図２１】操作および表示の他の例を示す図である。
【図２２】サーバ装置の他の処理例を示すフローチャートである。
【図２３】ディスプレイ装置の他の処理例を示すフローチャートである。
【図２４】携帯端末の他の処理例を示すフローチャートである。
【図２５】携帯端末への文字列の入力の他の例を示す図である。
【発明を実施するための形態】
【００１３】
以下、本発明の好適な実施形態につき説明する。
【００１４】
＜構成＞
図４は一実施形態にかかるシステムの構成例を示す図である。図４において、サーバ装置１と複数のディスプレイ装置３と複数の携帯端末４は、ＬＡＮ（Local Area Network）等のネットワーク２（有線・無線を問わない）を介して相互に通信可能に接続されている。サーバ装置１は、携帯端末４のユーザが自端末の画面をディスプレイ装置３で指定した所定エリアに表示する際に、携帯端末４を特定（認証）するのに用いる認証動きパターンをディスプレイ装置３に貸与し、使用後に返却を受け付ける機能を有している。また、サーバ装置１は、携帯端末４から送信される認証のための端末動き情報を、候補となるディスプレイ装置３に転送する機能も有している。
【００１５】
ディスプレイ装置３は、大型のディスプレイ（液晶ディスプレイ等のほか、プロジェクタによるものを含む）を有するとともに、情報処理を行うＰＣ（Personal Computer）の機能を有している。携帯端末４は、スマートフォン等の情報機器である。サーバ装置１は、いずれかのディスプレイ装置３と一体に構成してもよい。
【００１６】
以下の説明では、携帯端末４に表示された１つの画面をいずれかのディスプレイ装置３の１つの枠に紐付けるという前提で説明する。なお、携帯端末４の１つの画面を１台または複数のディスプレイ装置３の枠に紐付けたり、携帯端末４の複数の画面を１台または複数のディスプレイ装置３の枠に紐付けたりするよう、拡張することもできる。
【００１７】
図５はサーバ装置１の機能構成例を示す図である。図５において、サーバ装置１は、認証動きパターン管理部１１と端末動き情報転送部１２と認証動きパターンＤＢ１３とパターン貸与中ディスプレイリスト１４と端末動き情報転送先テーブル１５とディスプレイ傾斜角度テーブル１６とを備えている。
【００１８】
認証動きパターン管理部１１は、ネットワーク２を介していずれかのディスプレイ装置３から認証動きパターンの取得要求を受信した場合に、認証動きパターンＤＢ１３から１つの認証動きパターンを取り出して、要求元のディスプレイ装置３に送信する機能を有している。この際、認証動きパターンを構成する情報を全て送信してもよいし、予めディスプレイ装置３側で認証動きパターンＤＢ１３と同内容の情報を保持している場合には、認証動きパターンを識別するＩＤ（パターンＩＤ）だけを送信してもよい。貸与した認証動きパターンは、重複して他のディスプレイ装置に貸与できないように管理される。また、認証動きパターン管理部１１は、認証動きパターンを貸与したディスプレイ装置３のＩＤ（ディスプレイＩＤ）をパターン貸与中ディスプレイリスト１４に記録する。なお、認証動きパターン管理部１１は、認証動きパターンを貸与した場合に、所定の場（複数のディスプレイ装置３を利用できる所定範囲）に存在する全ての携帯端末４に対して、端末動き情報の送信要求を行う。
【００１９】
また、認証動きパターン管理部１１は、ディスプレイ装置３から認証動きパターンの返却要求を受信した場合に、認証動きパターンを認証動きパターンＤＢ１３に戻す機能を有している。認証動きパターン管理部１１は、認証動きパターンを返却したディスプレイ装置３のＩＤ（ディスプレイＩＤ）をパターン貸与中ディスプレイリスト１４から削除するとともに、端末動き情報転送先テーブル１５から該当するディスプレイＩＤと端末ＩＤの組を削除する。また、認証動きパターン管理部１１は、貸与中の認証動きパターンがなくなった場合に、所定の場に存在する全ての携帯端末４に対して、端末動き情報の送信中止要求を行う。
【００２０】
図６は認証動きパターンＤＢ１３のデータ構造例を示す図であり、「パターンＩＤ」「ガイダンス情報」「加速度情報」等の項目を有している。「パターンＩＤ」は、認証動きパターンを識別する情報である。認証動きパターンに対応する操作としては、携帯端末４を三角形状に動かす操作、矩形状に動かす操作、円を描くように動かす操作、右方向、左方向、上方向または下方向のいずれかに動かす操作、左右または上下に動かす操作等がある。
【００２１】
「ガイダンス情報」は、認証動きパターン毎に、どのような操作を行えばよいかをユーザに理解させるために、操作の仕方を教える動画（アニメーション）、静止画、テキストまたは音声等の情報である。「加速度情報」は、ユーザにより実際に行われた操作が認証動きパターンで規定した操作と合致するか否かを判断するための、認証動きパターン毎に事前に実際に操作を行って記録された加速度時系列データである。
【００２２】
図５に戻り、端末動き情報転送部１２は、携帯端末４から端末動き情報を受信した場合に、端末動き情報に含まれる携帯端末４の傾斜角度情報に基づいて、ディスプレイ傾斜角度テーブル１６を参照して、候補となるディスプレイ装置３を絞り込む機能を有している。図７は携帯端末４の傾斜角度によるディスプレイ装置３の絞り込みの例を示す図である。図７（ａ）に示すように縦置きのディスプレイ装置３に対しては傾斜角度が９０°の携帯端末４からの加速度情報を転送する。図７（ｂ）に示すように平置きのディスプレイ装置３に対しては傾斜角度が０°の携帯端末４からの加速度情報を転送する。ガイダンスに従って携帯端末４を動かす場合、ディスプレイ装置３の表示面と携帯端末４の表示面の向きを合わせることは自然なことであるため、向きが合っている場合にのみ、その表示面のディスプレイ装置３に対する操作として扱う。
【００２３】
図５に戻り、端末動き情報転送部１２は、絞り込んだ候補のディスプレイ装置３に対して、携帯端末４からの端末動き情報に含まれる加速度情報を転送する機能を有している。なお、傾斜角度を判断して一致が得られた結果は、端末動き情報転送先テーブル１５に登録し、再利用する。
【００２４】
図８は各種リスト・テーブル等のデータ構造例を示す図である。パターン貸与中ディスプレイリスト１４は、ディスプレイＩＤを列挙したものである。端末動き情報転送先テーブル１５は、端末ＩＤとディスプレイＩＤ（複数可）が対応付けられたものである。ディスプレイ傾斜角度テーブル１６は、ディスプレイＩＤ毎に傾斜角度が設定されたものである。
【００２５】
次に、図９はディスプレイ装置３の機能構成例を示す図である。図９において、ディスプレイ装置３は、操作認識部３０２と認証動きパターン要求送信部３０３と操作情報送信部３０４とを備えている。また、ディスプレイ装置３は、認証動きパターン受信部３０５とガイダンス表示部３０７と端末動き情報受信部３０９と認証処理部３１１と認証結果送信部３１３と認証動きパターン返却部３１４と画面受信部３１５とを備えている。
【００２６】
操作認識部３０２は、ディスプレイ３０８の前面に設けられたタッチセンサ３０１により画面上のユーザの指やペン等の接触位置の座標に基づいて操作を認識する機能を有している。例えば、操作認識部３０２は、矩形状の枠が描かれた場合に、枠の描画操作を認識する。なお、タッチセンサ３０１に代えて、画面上のユーザの指やペンによる接触位置の座標を得る他の機構を用いることもできる。認証動きパターン要求送信部３０３は、操作認識部３０２により枠の描画操作が認識（検出）された場合に、サーバ装置１に対して認証動きパターン要求を送信する機能を有している。
【００２７】
認証動きパターン受信部３０５は、サーバ装置１から認証動きパターンを受信して認証動きパターン３０６として保持する機能を有している。ガイダンス表示部３０７は、認証動きパターン３０６に含まれるガイダンス情報に基づいて、ディスプレイ３０８の表示画面上の例えば認識されて整形表示された枠内にガイダンス動画等を表示する機能を有している。
【００２８】
端末動き情報受信部３０９は、サーバ装置１から転送された、携帯端末４からの端末動き情報（加速度情報）を受信して端末動き情報３１０として保持する機能を有している。認証処理部３１１は、認証動きパターン３０６の加速度情報と端末動き情報３１０の加速度情報とを照合し、同じ認証動きパターンであるか否か判定する機能を有している。認証処理部３１１は、認証動きパターンと一致したと判定した場合、枠（枠ＩＤ、ＸＹ座標）と端末ＩＤとを枠・端末対応テーブル３１２に登録して紐付ける。認証結果送信部３１３は、認証処理部３１１の認証が行われた旨の認証結果として、該当する携帯端末４にディスプレイＩＤを送信する機能を有している。
【００２９】
認証動きパターン返却部３１４は、認証処理部３１１において認証が完了した認証動きパターンまたはタイムアップで認証が行われなかった認証動きパターンをサーバ装置１に返却する機能を有している。返却に際しては、認証動きパターンを構成する情報の全てを送信する必要はなく、パターンＩＤを指定すればよい。なお、返却に際して、その認証動きパターンを使用したディスプレイＩＤや、存在する場合には紐付けを行った端末ＩＤも送信する。
【００３０】
画面受信部３１５は、紐付けが完了した携帯端末４から、アプリ画面を受信し、ディスプレイ３０８に表示させる機能を有している。操作情報送信部３０４は、操作認識部３０２により認識された、枠内のアプリ画面に対するユーザの操作（画面の拡大・縮小、移動、ページ送り・戻り、ポイント等）を携帯端末４に送信する機能を有している。操作情報を受信した携帯端末４は、操作情報に応じた画面遷移を行い、更新画面を送信してくるが、それは画面受信部３１５により受信され、ディスプレイ３０８の画面更新が行われる。
【００３１】
次に、図１０は携帯端末４の機能構成例を示す図である。図１０において、携帯端末４は、端末動き認識部４０２と傾斜角度計算部４０３と端末動き情報送信部４０４と認証結果受信部４０６と画面連携アプリ４０８と画面送信部４０９と操作情報受信部４１０とを備えている。
【００３２】
端末動き認識部４０２は、内蔵ＩＭＵ（Inertial Measurement Unit：慣性計測装置）センサ４０１の信号から、携帯端末４自体の動き（主に加速度変化）を認識する機能を有している。傾斜角度計算部４０３は、同じく内蔵ＩＭＵセンサ４０１から携帯端末４の傾斜角度を計算する機能を有している。端末動き情報送信部４０４は、端末動き認識部４０２により認識された動きと傾斜角度計算部４０３により計算された傾斜角度に基づき、端末動き情報をサーバ装置１に送信する機能を有している。なお、端末動き情報送信部４０４は、中止フラグ４０５を有しており、中止フラグ４０５がＯＦＦの場合にのみ動作する。中止フラグ４０５は、サーバ装置１から端末動き情報送信要求が行われた場合にＯＦＦにされる。また、サーバ装置１から端末動き情報送信中止要求が行われた場合、またはディスプレイ装置３から紐付けが完了した認証結果が得られた場合に、中止フラグ４０５はＯＮにされる。
【００３３】
認証結果受信部４０６は、ディスプレイ装置３から紐付けが完了した認証結果を受信し、認証結果に含まれるディスプレイＩＤをディスプレイＩＤ４０７として保持する機能を有している。画面連携アプリ４０８は、ディスプレイ装置３に表示反映させる画面を提供するアプリケーションプログラムの処理実体である。画面送信部４０９は、紐付けが行われたディスプレイ装置３に対して画面連携アプリ４０８の画面を送信する機能を有している。操作情報受信部４１０は、ディスプレイ装置３から画面に対する操作情報を受信し、画面連携アプリ４０８に引き渡す機能を有している。
【００３４】
図１１はサーバ装置１、ディスプレイ装置３および携帯端末４の情報処理にかかるハードウェア構成例を示す図である。図１１において、サーバ装置１等は、バス１０７を介して相互に接続されたＣＰＵ（Central Processing Unit）１０１、ＲＯＭ（Read Only Memory）１０２、ＲＡＭ（Random Access Memory）１０３を備えている。また、サーバ装置１等は、ＨＤＤ（Hard Disk Drive）／ＳＳＤ（Solid State Drive）１０４、接続Ｉ／Ｆ（Interface）１０５、通信Ｉ／Ｆ１０６を備えている。ＣＰＵ１０１は、ＲＡＭ１０３をワークエリアとしてＲＯＭ１０２またはＨＤＤ／ＳＳＤ１０４等に格納されたプログラムを実行することで、サーバ装置１等の動作を統括的に制御する。接続Ｉ／Ｆ１０５は、サーバ装置１等に接続される機器とのインタフェースである。通信Ｉ／Ｆ１０６は、ネットワークを介して他の情報処理装置と通信を行うためのインタフェースである。
【００３５】
図５、図９および図１０で説明した各装置の機能は、ＣＰＵ１０１において所定のプログラムが実行されることで実現される。プログラムは、記録媒体を経由して取得されるものでもよいし、ネットワークを経由して取得されるものでもよいし、ＲＯＭ組込でもよい。処理に際して参照・更新されるデータは、ＲＡＭ１０３またはＨＤＤ／ＳＳＤ１０４に保持される。その他に、ディスプレイ装置３では、画面を表示するディスプレイ３０８およびタッチセンサ３０１が接続Ｉ／Ｆ１０５に接続される。携帯端末４では、画面を表示するディスプレイ、タッチセンサおよび内蔵ＩＭＵセンサ４０１が接続Ｉ／Ｆ１０５に接続される。
【００３６】
＜動作＞
図１２は上記の実施形態の処理例を示すシーケンス図である。図１２において、先ず、携帯端末４のユーザは、携帯端末４の画面連携アプリ４０８からディスプレイ装置３に表示したい画面を選択し（ステップＳ１０１）、所望のディスプレイ装置３の画面上に、表示エリアに相当する枠を指やペン等でなぞることで描く（ステップＳ１０２）。図１３（ａ）は、携帯端末４に画面「あ」が表示され、ディスプレイ装置３にユーザが矩形の枠を描いた状態を示している。
【００３７】
図１２に戻り、ディスプレイ装置３の操作認識部３０２は、枠が描かれたことを検出すると、形を整形した表示エリアを画面上に表示する（ステップＳ１０３）。図１３（ｂ）は、ディスプレイ装置３の画面上に表示エリアが表示された状態を示している。
【００３８】
図１２に戻り、ディスプレイ装置３の認証動きパターン要求送信部３０３は、サーバ装置１に対して、自己のディスプレイＩＤを伴って認証動きパターン要求を行う（ステップＳ１０４）。これを受け、サーバ装置１の認証動きパターン管理部１１は、認証動きパターンＤＢ１３から１つの認証動きパターンを取り出して、要求元のディスプレイ装置３に送信する（ステップＳ１０５）。認証動きパターンの取り出しは、同じ認証動きパターンを重複して貸与できないように行われ、例えば、認証動きパターンの順列の末尾にある認証動きパターンを順列から取り外すことにより行われる。また、認証動きパターン管理部１１は、所定の場（複数のディスプレイ装置３を利用できる所定範囲）に存在する全ての携帯端末４に対して、端末動き情報送信要求を行う（ステップＳ１０６）。
【００３９】
一方、ディスプレイ装置３は、認証動きパターン受信部３０５により受信した認証動きパターンに基づき、ガイダンス表示部３０７によりガイダンスの表示を行う（ステップＳ１０７）。図１３（ｃ）は、ディスプレイ装置３の表示エリアに、右回りに動かすことを指示するガイダンスが表示された状態を示している。
【００４０】
図１２に戻り、携帯端末４のユーザが、認証動きパターンのガイダンスに従って携帯端末４を動かすと（ステップＳ１０８）、端末動き認識部４０２が端末動き（加速度変化）を認識し、傾斜角度計算部４０３が傾斜角度を計算する。そして、端末動き情報送信部４０４は、それらを含む端末動き情報を自己の端末ＩＤを伴ってサーバ装置１に送信する（ステップＳ１０９）。図１３（ｄ）は、ユーザが携帯端末４をガイダンスに従って右回りに動かしている状態を示している。
【００４１】
図１２に戻り、サーバ装置１の端末動き情報転送部１２は、携帯端末４から受信した端末動き情報の傾斜角度に基づき、ディスプレイ傾斜角度テーブル１６を参照して転送先のディスプレイ装置３を特定する（ステップＳ１１０）。なお、傾斜角度に基づいて対応付けた端末ＩＤとディスプレイＩＤは端末動き情報転送先テーブル１５に保持するため、傾斜角度の判断を毎回行う必要はない。そして、端末動き情報転送部１２は、特定したディスプレイ装置３に対し、端末動き情報の加速度情報を端末ＩＤを伴って送信する（ステップＳ１１１）。
【００４２】
ディスプレイ装置３の端末動き情報受信部３０９が端末動き情報（加速度情報）を受信すると、認証処理部３１１は、先に取得している認証動きパターンの加速度情報と照合を行う（ステップＳ１１２）。ここでは照合により一致が判断されたものとすると、認証結果送信部３１３は認証された旨の認証結果としてディスプレイＩＤを携帯端末４に送信する（ステップＳ１１３）。また、認証動きパターン返却部３１４は、サーバ装置１に対して、パターンＩＤ、ディスプレイＩＤ、端末ＩＤ（存在する場合）を伴って認証動きパターンの返却を行う（ステップＳ１１４）。サーバ装置１の認証動きパターン管理部１１は、返却された認証動きパターンを認証動きパターンＤＢ１３に戻す。例えば、認証動きパターンの順列の末尾にある認証動きパターンを順列から取り外すことにより貸与を行った場合は、再び、順列の末尾に返却された認証動きパターンを付加することで返却を完了する。また、認証動きパターン管理部１１は、貸与中の認証動きパターンが返却により全てなくなった場合は、所定の場に存在する全ての携帯端末４に対して、端末動き情報送信中止要求を行う（ステップＳ１１５）。
【００４３】
認証された旨の認証結果を認証結果受信部４０６により受信した携帯端末４は、紐付けられたディスプレイ装置３に対して、画面連携アプリ４０８の画面を画面送信部４０９により転送開始する（ステップＳ１１６）。なお、携帯端末４側から自主的に画面の転送を開始するものとしているが、ディスプレイ装置３側から画面の転送を要求し、それに応えて携帯端末４側から画面の転送を開始するようにしてもよい。ディスプレイ装置３の画面受信部３１５は画面を受信すると、ディスプレイ３０８に表示する（ステップＳ１１７）。図１３（ｅ）は、携帯端末４の画面「あ」がディスプレイ装置３の表示エリアに表示された状態を示している。
【００４４】
図１２に戻り、その後、任意のユーザがディスプレイ装置３の画面が表示されたエリアに対して操作を行うと（ステップＳ１１８）、ディスプレイ装置３の操作認識部３０２は操作を認識する。そして、操作情報送信部３０４は、操作情報を対応する携帯端末４に送信する（ステップＳ１１９）。携帯端末４の操作情報受信部４１０が操作情報を受信すると、画面連携アプリ４０８は操作内容に応じた画面更新を行い、画面送信部４０９により更新画面をディスプレイ装置３に送信する（ステップＳ１２０）。ディスプレイ装置３の画面受信部３１５は更新画面を受信すると、ディスプレイ３０８に表示（画面更新）する（ステップＳ１２１）。
【００４５】
以下、サーバ装置１、ディスプレイ装置３および携帯端末４のそれぞれの詳細な動作について説明する。
【００４６】
図１４はサーバ装置１の処理例を示すフローチャートである。図１４において、サーバ装置１は、外部からイベント受信があると（ステップＳ２０１）、認証動きパターン要求であるか（ステップＳ２０２）、認証動きパターン返却であるか（ステップＳ２０３）、端末動き情報であるか（ステップＳ２０４）を判断する。
【００４７】
認証動きパターン要求である場合（ステップＳ２０２のＹｅｓ）、認証動きパターン管理部１１は、認証動きパターンＤＢ１３から認証動きパターンを１つ取り出し、重複貸与不可とする（ステップＳ２０５）。次いで、認証動きパターン管理部１１は、パターン貸与中ディスプレイリスト１４に要求してきたディスプレイ装置３のディスプレイＩＤを登録し（ステップＳ２０６）、取り出した認証動きパターンを要求元のディスプレイ装置３へ送信する（ステップＳ２０７）。次いで、認証動きパターン管理部１１は、場内にある全携帯端末４へ端末動き情報送信要求を発行する（ステップＳ２０８）。そして、イベント受信（ステップＳ２０１）の待機に戻る。
【００４８】
一方、認証動きパターン返却である場合（ステップＳ２０３のＹｅｓ）、認証動きパターン管理部１１は、返却された認証動きパターンを認証動きパターンＤＢ１３に戻す（ステップＳ２０９）。そして、認証動きパターン管理部１１は、パターン貸与中ディスプレイリスト１４から該当するディスプレイＩＤを削除する（ステップＳ２１０）。次いで、認証動きパターン管理部１１は、そのディスプレイＩＤに端末動き情報転送先テーブル１５において紐づけた端末ＩＤがあるか否か判断する（ステップＳ２１１）。そして、紐づけた端末ＩＤがある場合（ステップＳ２１１のＹｅｓ）は、該端末ＩＤを端末動き情報転送先テーブル１５から削除する（ステップＳ２１２）。紐づけた端末ＩＤがない場合（ステップＳ２１１のＮｏ）は、端末動き情報転送先テーブル１５からの削除は行わない。
【００４９】
次いで、認証動きパターン管理部１１は、パターン貸与中ディスプレイリスト１４が空となったか否か判断し（ステップＳ２１３）、空となった場合（ステップＳ２１３のＹｅｓ）は、場内にある全携帯端末４へ端末動き情報送信中止要求を発行する（ステップＳ２１４）。空でない場合（ステップＳ２１３のＮｏ）は、端末動き情報送信中止要求を発行は行わない。そして、イベント受信（ステップＳ２０１）の待機に戻る。
【００５０】
一方、端末動き情報である場合（ステップＳ２０４のＹｅｓ）、端末動き情報転送部１２は、送信元の端末ＩＤの転送先が端末動き情報転送先テーブル１５に既にあるか否か判断する（ステップＳ２１５）。ない場合（ステップＳ２１５のＮｏ）、端末動き情報転送部１２は、パターン貸与中ディスプレイリスト１４に含まれるディスプレイ装置３のうち、端末の傾斜角度と一致するディスプレイ装置３をディスプレイ傾斜角度テーブル１６から検索する（ステップＳ２１６）。検索結果に従って、端末ＩＤとディスプレイＩＤを端末動き情報転送先テーブル１５に追加する（ステップＳ２１７）。端末動き情報転送先テーブル１５に既にある場合（ステップＳ２１５のＹｅｓ）は、傾斜角度による検索および端末動き情報転送先テーブル１５への追加は行わない。そして、端末動き情報転送部１２は、転送先のディスプレイ装置３へ端末動き情報の加速度情報と端末ＩＤを送信する（ステップＳ２１８）。そして、イベント受信（ステップＳ２０１）の待機に戻る。
【００５１】
図１５はディスプレイ装置３の処理例を示すフローチャートである。図１５において、ディスプレイ装置３の操作認識部３０２は、タッチ検出を行い（ステップＳ３０１）、タッチがあった場合（ステップＳ３０２のＹｅｓ）はタッチ位置を取得してタッチ軌跡として保持する（ステップＳ３０３）。操作認識部３０２は、タッチ終了を認識するまでタッチ軌跡を追記していく。そして、操作認識部３０２は、タッチ終了を認識した場合（ステップＳ３０４のＹｅｓ）、タッチ軌跡から枠を書くイベントを認識する（ステップＳ３０５）。枠を認識した場合（ステップＳ３０６のＹｅｓ）、認証動きパターン要求送信部３０３は、サーバ装置１へ認証動きパターン要求を行う（ステップＳ３０７）。
【００５２】
認証動きパターン受信部３０５は、認証動きパターン要求に応じてサーバ装置１から認証動きパターンを受信すると（ステップＳ３０８）、認証動きパターンに含まれるガイダンス情報に基づき、ガイダンス表示部３０７によりガイダンスを表示する（ステップＳ３０９）。次いで、内部のタイマー時刻を「０」に設定し、計時を開始する（ステップＳ３１０）。この計時は、認証が行えない場合のタイムアップを判断するためのものである。
【００５３】
次いで、端末動き情報受信部３０９は、サーバ装置１からの端末動き情報の着信があるか否かをチェックし（ステップＳ３１１）、着信がある場合（ステップＳ３１２のＹｅｓ）、端末動き情報を取得する（ステップＳ３１３）。そして、認証処理部３１１により、先に受信している認証動きパターンとマッチングを行う（ステップＳ３１４）。照合の結果、同じ動きであると照合された場合（ステップＳ３１５のＹｅｓ）、認証処理部３１１は、端末ＩＤを枠（表示エリア）と紐付けて枠・端末対応テーブル３１２に登録する（ステップＳ３１６）。そして、認証結果送信部３１３は、認証結果（ディスプレイＩＤ）を該当する携帯端末４へ送信する（ステップＳ３１７）。次いで、認証動きパターン返却部３１４は、認証動きパターンをサーバ装置１へ返却する（ステップＳ３１８）。そして、その後、携帯端末４から送信されてくる画面を紐付けられた枠内へ表示を行い、画面に対して行われた操作情報の携帯端末４への転送を開始し（ステップＳ３１９）、タッチ検出（ステップＳ３０１）に戻る。
【００５４】
また、サーバ装置１からの端末動き情報の着信がない場合（ステップＳ３１２のＮｏ）または同じ動きであると照合されなかった場合（ステップＳ３１５のＮｏ）、タイマー時間をインクリメントし（ステップＳ３２０）、タイムアウトしたか否か判断する（ステップＳ３２１）。タイムアウトしていない場合（ステップＳ３２１のＮｏ）は、着信のチェック（ステップＳ３１１）に戻る。タイムアウトしている場合（ステップＳ３２１のＹｅｓ）は、認証動きパターンの返却（ステップＳ３１８）に移行する。
【００５５】
図１６は携帯端末４の処理例を示すフローチャートである。図１６において、携帯端末４は、外部からイベント受信があると（ステップＳ４０１）、端末動き情報送信要求であるか、端末動き情報送信中止要求であるか、認証結果（紐付け）であるか、画面操作情報であるかを判断する（ステップＳ４０２〜Ｓ４０５）。
【００５６】
端末動き情報送信要求である場合（ステップＳ４０２のＹｅｓ）、端末動き情報送信部４０４は中止フラグ４０５をＯＦＦにする（ステップＳ４０６）。次いで、端末動き情報送信部４０４は、自端末の画面がディスプレイ装置３と紐付け済みであるか否か判断し（ステップＳ４０７）、紐付け済の場合（ステップＳ４０７のＹｅｓ）は、イベント受信（ステップＳ４０１）の待機に戻る。紐付け済でない場合（ステップＳ４０７のＮｏ）、端末動き情報送信部４０４は、自端末の動き監視を開始し（ステップＳ４０８）、イベント受信（ステップＳ４０１）の待機に戻る。
【００５７】
開始された動き監視において、端末動き情報送信部４０４は、動き振幅（加速度変化の振幅）が一定以上であるか否か判断し（ステップＳ４０９）、動き振幅が一定以上となった場合（ステップＳ４０９のＹｅｓ）に、端末動き情報の送信を開始する（ステップＳ４１０）。その後、端末動き情報送信部４０４は、中止フラグ４０５がＯＮになったか否か判断し（ステップＳ４１１）、中止フラグ４０５がＯＮでない場合（ステップＳ４１１のＮｏ）は端末動き情報の送信を継続する（ステップＳ４１０）。中止フラグ４０５がＯＮになった場合（ステップＳ４１１のＹｅｓ）、端末動き情報送信部４０４は端末動き情報の送信を終了する（ステップＳ４１２）。
【００５８】
一方、端末動き情報送信中止要求である場合（ステップＳ４０３のＹｅｓ）、端末動き情報送信部４０４は、中止フラグ４０５をＯＮにし（ステップＳ４１３）、イベント受信（ステップＳ４０１）の待機に戻る。
【００５９】
一方、認証結果（紐付け）である場合（ステップＳ４０４のＹｅｓ）、端末動き情報送信部４０４は中止フラグ４０５をＯＮにし（ステップＳ４１４）、画面送信部４０９により画面の転送を開始し（ステップＳ４１５）、イベント受信（ステップＳ４０１）の待機に戻る。
【００６０】
一方、画面操作情報である場合（ステップＳ４０５のＹｅｓ）、画面連携アプリ４０８はアプリ画面の遷移を行い（ステップＳ４１６）、画面送信部４０９により画面を転送し（ステップＳ４１７）、イベント受信（ステップＳ４０１）の待機に戻る。
【００６１】
なお、認証動きパターンの照合をディスプレイ装置３側で行う場合について説明したが、サーバ装置１側で認証動きパターンの照合を行うようにすることもできる。
【００６２】
＜変形例＞
上述した実施形態は、携帯端末４自体を所定のパターンに従って動かすものであり、スマートフォンなど、慣性センサ（加速度センサ、ジャイロ等）を内部に装備している携帯端末４には適用可能である。しかし、ＰＣ（Personal Computer）など、慣性センサを装備していない携帯端末４には適用できない。そこで、ここでは慣性センサを装備していない携帯端末４にも適用できる例について説明する。なお、上述した実施形態と併存させることも可能である。
【００６３】
図１７はサーバ装置１の機能構成例を示す図である。図１７において、サーバ装置１は、認証文字列管理部１１'と入力文字列情報転送部１２'と認証文字列払出中ディスプレイリスト１４'とを備えている。
【００６４】
認証文字列管理部１１'は、ネットワーク２を介していずれかのディスプレイ装置３から認証文字列の取得要求を受信した場合に、現時点で払出中の認証文字列と重複しない認証文字列を発行して、要求元のディスプレイ装置３に送信する機能を有している。払い出した認証文字列は、重複して他のディスプレイ装置に払い出しできないように管理される。また、認証文字列管理部１１'は、認証文字列を払い出したディスプレイ装置３のＩＤ（ディスプレイＩＤ）を認証文字列払出中ディスプレイリスト１４'に記録する。認証文字列払出中ディスプレイリスト１４'は、前述したパターン貸与中ディスプレイリスト１４（図８）と同様のデータ構造でもよいし、払い出した認証文字列とディスプレイＩＤとを対応付けて保持してもよい。なお、認証文字列管理部１１'は、認証文字列を払い出した場合に、所定の場（複数のディスプレイ装置３を利用できる所定範囲）に存在する全ての携帯端末４に対して、入力文字列情報の送信要求を行う。入力文字列情報は、認証文字列を見たユーザが入力した文字列情報である。
【００６５】
また、認証文字列管理部１１'は、ディスプレイ装置３から認証文字列の返却要求を受信した場合に、認証文字列の返却処理を行う機能を有している。すなわち、認証文字列管理部１１'は、認証文字列を返却したディスプレイ装置３のＩＤ（ディスプレイＩＤ）を認証文字列払出中ディスプレイリスト１４'から削除するとともに、その認証文字列を払出中でない状態にする。また、認証文字列管理部１１'は、払出中の認証文字列がなくなった場合に、所定の場に存在する全ての携帯端末４に対して、入力文字列情報の送信中止要求を行う。
【００６６】
入力文字列情報転送部１２'は、携帯端末４から入力文字列情報を受信した場合に、入力文字列情報を端末ＩＤを伴ってディスプレイ装置３に転送する機能を有している。
【００６７】
図１８はディスプレイ装置３の機能構成例を示す図である。図１８において、ディスプレイ装置３は、操作認識部３０２と認証文字列要求送信部３０３'と操作情報送信部３０４とを備えている。また、ディスプレイ装置３は、認証文字列受信部３０５'と認証文字列表示部３０７'と入力文字列情報受信部３０９'と認証処理部３１１と認証結果送信部３１３と認証文字列返却部３１４'と画面受信部３１５とを備えている。
【００６８】
操作認識部３０２は、ディスプレイ３０８の前面に設けられたタッチセンサ３０１により画面上のユーザの指やペン等の接触位置の座標に基づいて操作を認識する機能を有している。例えば、操作認識部３０２は、矩形状の枠が描かれた場合に、枠の描画操作を認識する。なお、タッチセンサ３０１に代えて、画面上のユーザの指やペンによる接触位置の座標を得る他の機構を用いることもできる。認証文字列要求送信部３０３'は、操作認識部３０２により枠の描画操作が認識（検出）された場合に、サーバ装置１に対して認証文字列要求を送信する機能を有している。
【００６９】
認証文字列受信部３０５'は、サーバ装置１から認証文字列を受信して認証文字列３０６'として保持する機能を有している。認証文字列表示部３０７'は、認証文字列３０６'に基づいて、ディスプレイ３０８の表示画面上の例えば認識されて整形表示された枠内や枠に隣接して認証文字列を表示する機能を有している。
【００７０】
入力文字列情報受信部３０９'は、サーバ装置１から転送された、携帯端末４からの入力文字列情報を受信して入力文字列情報３１０'として保持する機能を有している。認証処理部３１１は、認証文字列３０６'と入力文字列情報３１０'とを照合し、同じであるか否か判定する機能を有している。認証処理部３１１は、両者が一致したと判定した場合、枠（枠ＩＤ、ＸＹ座標）と端末ＩＤとを枠・端末対応テーブル３１２に登録して紐付ける。認証結果送信部３１３は、認証処理部３１１の認証が行われた旨の認証結果として、該当する携帯端末４にディスプレイＩＤを送信する機能を有している。
【００７１】
認証文字列返却部３１４'は、認証処理部３１１において認証が完了した認証文字列またはタイムアップで認証が行われなかった認証文字列をサーバ装置１に返却する機能を有している。返却に際しては、認証文字列を特定して返却を要求する。
【００７２】
画面受信部３１５は、紐付けが完了した携帯端末４から、アプリ画面を受信し、ディスプレイ３０８に表示させる機能を有している。操作情報送信部３０４は、操作認識部３０２により認識された、枠内のアプリ画面に対するユーザの操作（画面の拡大・縮小、移動、ページ送り・戻り、ポイント等）を携帯端末４に送信する機能を有している。操作情報を受信した携帯端末４は、操作情報に応じた画面遷移を行い、更新画面を送信してくるが、それは画面受信部３１５により受信され、ディスプレイ３０８の画面更新が行われる。
【００７３】
図１９は携帯端末４の機能構成例を示す図である。図１９において、携帯端末４は、文字列入力部４０２'と入力文字列情報送信部４０４'と認証結果受信部４０６と画面連携アプリ４０８と画面送信部４０９と操作情報受信部４１０とを備えている。
【００７４】
文字列入力部４０２'は、ユーザから文字列を入力する機能を有している。入力文字列情報送信部４０４'は、文字列入力部４０２'により入力された文字列情報をサーバ装置１に送信する機能を有している。なお、入力文字列情報送信部４０４'は、中止フラグ４０５を有しており、中止フラグ４０５がＯＦＦの場合にのみ動作する。中止フラグ４０５は、サーバ装置１から入力文字列情報送信要求が行われた場合にＯＦＦにされる。また、サーバ装置１から入力文字列情報送信中止要求が行われた場合、またはディスプレイ装置３から紐付けが完了した認証結果が得られた場合に、中止フラグ４０５はＯＮにされる。
【００７５】
認証結果受信部４０６は、ディスプレイ装置３から紐付けが完了した認証結果を受信し、認証結果に含まれるディスプレイＩＤをディスプレイＩＤ４０７として保持する機能を有している。画面連携アプリ４０８は、ディスプレイ装置３に表示反映させる画面を提供するアプリケーションプログラムの処理実体である。画面送信部４０９は、紐付けが行われたディスプレイ装置３に対して画面連携アプリ４０８の画面を送信する機能を有している。操作情報受信部４１０は、ディスプレイ装置３から画面に対する操作情報を受信し、画面連携アプリ４０８に引き渡す機能を有している。
【００７６】
図２０は実施形態の処理例を示すシーケンス図である。図２０において、先ず、携帯端末４のユーザは、携帯端末４の画面連携アプリ４０８からディスプレイ装置３に表示したい画面を選択し（ステップＳ１３１）、所望のディスプレイ装置３の画面上に、表示エリアに相当する枠を指やペン等でなぞることで描く（ステップＳ１３２）。図２１（ａ）は、携帯端末４に画面「あ」が表示され、ディスプレイ装置３にユーザが矩形の枠を描いた状態を示している。
【００７７】
図２０に戻り、ディスプレイ装置３の操作認識部３０２は、枠が描かれたことを検出すると、形を整形した表示エリアを画面上に表示する（ステップＳ１３３）。図２１（ｂ）は、ディスプレイ装置３の画面上に表示エリアが表示された状態を示している。
【００７８】
図２０に戻り、ディスプレイ装置３の認証文字列要求送信部３０３'は、サーバ装置１に対して、自己のディスプレイＩＤを伴って認証文字列要求を行う（ステップＳ１３４）。これを受け、サーバ装置１の認証文字列管理部１１'は、現時点で払出中のものと重複しない認証文字列をシーケンシャルまたはランダムに発行し、要求元のディスプレイ装置３に送信する（ステップＳ１３５）。例えば、認証文字列「６７」を発行し、ディスプレイ装置３に送信する。また、認証文字列管理部１１'は、所定の場（複数のディスプレイ装置３を利用できる所定範囲）に存在する全ての携帯端末４に対して、入力文字列情報送信要求を行う（ステップＳ１３６）。入力文字列情報送信要求を受信した携帯端末４は、画面上に文字列の入力欄を表示する。
【００７９】
一方、ディスプレイ装置３は、認証文字列受信部３０５'により受信した認証文字列に基づき、認証文字列表示部３０７'により認証文字列の表示を行う（ステップＳ１３７）。図２１（ｃ）は、ディスプレイ装置３の表示エリアに認証文字列「６７」が表示され、携帯端末４の画面上に文字列の入力欄が表示された状態を示している。
【００８０】
図２０に戻り、携帯端末４のユーザは、ディスプレイ装置３上に表示された認証文字列に従って携帯端末４の入力欄に同じ文字列を入力する（ステップＳ１３８）。文字列入力部４０２'は文字列を入力し、入力文字列情報送信部４０４'は入力文字列情報を自己の端末ＩＤを伴ってサーバ装置１に送信する（ステップＳ１３９）。図２１（ｄ）は、ユーザが携帯端末４の入力欄に文字列「６７」を入力した状態を示している。
【００８１】
図２０に戻り、サーバ装置１の入力文字列情報転送部１２'は、携帯端末４から受信した入力文字列情報を端末ＩＤを伴ってディスプレイ装置３に転送する（ステップＳ１４０）。
【００８２】
ディスプレイ装置３の入力文字列情報受信部３０９'が入力文字列情報と端末ＩＤを受信すると、認証処理部３１１は、先に取得している認証文字列と照合を行う（ステップＳ１４１）。ここでは照合により一致が判断されたものとすると、認証結果送信部３１３は認証された旨の認証結果としてディスプレイＩＤを携帯端末４に送信する（ステップＳ１４２）。また、認証文字列返却部３１４'は、サーバ装置１に対して、認証文字列を伴って認証文字列の返却を行う（ステップＳ１４３）。サーバ装置１の認証文字列管理部１１'は、認証文字列を返却したディスプレイ装置３のＩＤ（ディスプレイＩＤ）を認証文字列払出中ディスプレイリスト１４'から削除するとともに、その認証文字列を払出中でない状態にする。また、認証文字列管理部１１'は、払出中の認証文字列が返却により全てなくなった場合は、所定の場に存在する全ての携帯端末４に対して、入力文字列情報送信中止要求を行う（ステップＳ１４４）。
【００８３】
認証された旨の認証結果を認証結果受信部４０６により受信した携帯端末４は、紐付けられたディスプレイ装置３に対して、画面連携アプリ４０８の画面を画面送信部４０９により転送開始する（ステップＳ１４５）。なお、携帯端末４側から自主的に画面の転送を開始するものとしているが、ディスプレイ装置３側から画面の転送を要求し、それに応えて携帯端末４側から画面の転送を開始するようにしてもよい。ディスプレイ装置３の画面受信部３１５は画面を受信すると、ディスプレイ３０８に表示する（ステップＳ１４６）。図２１（ｅ）は、携帯端末４の画面「あ」がディスプレイ装置３の表示エリアに表示された状態を示している。
【００８４】
図２０に戻り、その後、任意のユーザがディスプレイ装置３の画面が表示されたエリアに対して操作を行うと（ステップＳ１４７）、ディスプレイ装置３の操作認識部３０２は操作を認識する。そして、操作情報送信部３０４は、操作情報を対応する携帯端末４に送信する（ステップＳ１４８）。携帯端末４の操作情報受信部４１０が操作情報を受信すると、画面連携アプリ４０８は操作内容に応じた画面更新を行い、画面送信部４０９により更新画面をディスプレイ装置３に送信する（ステップＳ１４９）。ディスプレイ装置３の画面受信部３１５は更新画面を受信すると、ディスプレイ３０８に表示（画面更新）する（ステップＳ１５０）。
【００８５】
以下、サーバ装置１、ディスプレイ装置３および携帯端末４のそれぞれの詳細な動作について説明する。
【００８６】
図２２はサーバ装置１の処理例を示すフローチャートである。図２２において、サーバ装置１は、外部からイベント受信があると（ステップＳ２２１）、認証文字列要求であるか（ステップＳ２２２）、認証文字列返却であるか（ステップＳ２２３）、入力文字列情報であるか（ステップＳ２２４）を判断する。
【００８７】
認証文字列要求である場合（ステップＳ２２２のＹｅｓ）、認証文字列管理部１１'は、現時点で重複しない認証文字列をシーケンシャルまたはランダムに発行し、内部的に保持する（ステップＳ２２５）。次いで、認証文字列管理部１１'は、認証文字列払出中ディスプレイリスト１４'に要求してきたディスプレイ装置３のディスプレイＩＤを登録し（ステップＳ２２６）、発行した認証文字列を要求元のディスプレイ装置３へ送信する（ステップＳ２２７）。次いで、認証文字列管理部１１'は、場内にある全携帯端末４へ入力文字列情報送信要求を発行する（ステップＳ２２８）。そして、イベント受信（ステップＳ２２１）の待機に戻る。
【００８８】
一方、認証文字列返却である場合（ステップＳ２２３のＹｅｓ）、認証文字列管理部１１'は、返却された認証文字列を払出中でない状態とし、認証文字列払出中ディスプレイリスト１４'から該当するディスプレイＩＤを削除する（ステップＳ２２９）。次いで認証文字列管理部１１'は、認証文字列払出中ディスプレイリスト１４'が空となったか否か判断し（ステップＳ２３０）、空となった場合（ステップＳ２３０のＹｅｓ）は、場内にある全携帯端末４へ入力文字列情報送信中止要求を発行する（ステップＳ２３１）。空でない場合（ステップＳ２３０のＮｏ）は、入力文字列情報送信中止要求を発行は行わない。そして、イベント受信（ステップＳ２２１）の待機に戻る。
【００８９】
一方、入力文字列情報である場合（ステップＳ２２４のＹｅｓ）、入力文字列情報転送部１２'は、認証文字列払出中ディスプレイリスト１４'にあるディスプレイ装置３へ入力文字列情報と端末ＩＤを送信する（ステップＳ２３２）。そして、イベント受信（ステップＳ２２１）の待機に戻る。
【００９０】
図２３はディスプレイ装置３の処理例を示すフローチャートである。図２３において、ディスプレイ装置３の操作認識部３０２は、タッチ検出を行い（ステップＳ３３１）、タッチがあった場合（ステップＳ３３２のＹｅｓ）はタッチ位置を取得してタッチ軌跡として保持する（ステップＳ３３３）。操作認識部３０２は、タッチ終了を認識するまでタッチ軌跡を追記していく。そして、操作認識部３０２は、タッチ終了を認識した場合（ステップＳ３３４のＹｅｓ）、タッチ軌跡から枠を書くイベントを認識する（ステップＳ３３５）。枠を認識した場合（ステップＳ３３６のＹｅｓ）、認証文字列要求送信部３０３'は、サーバ装置１へ認証文字列要求を行う（ステップＳ３３７）。
【００９１】
認証文字列受信部３０５'は、認証文字列要求に応じてサーバ装置１から認証文字列を受信すると（ステップＳ３３８）、認証文字列を枠内または枠の近辺に表示する（ステップＳ３３９）。次いで、内部のタイマー時刻を「０」に設定し、計時を開始する（ステップＳ３４０）。この計時は、認証が行えない場合のタイムアップを判断するためのものである。
【００９２】
次いで、入力文字列情報受信部３０９'は、サーバ装置１からの入力文字列情報の着信があるか否かをチェックし（ステップＳ３４１）、着信がある場合（ステップＳ３４２のＹｅｓ）、入力文字列情報を取得する（ステップＳ３４３）。そして、認証処理部３１１により、先に受信している認証文字列とマッチングを行う（ステップＳ３４４）。照合の結果、同じであると照合された場合（ステップＳ３４５のＹｅｓ）、認証処理部３１１は、端末ＩＤを枠（表示エリア）と紐付けて枠・端末対応テーブル３１２に登録する（ステップＳ３４６）。そして、認証結果送信部３１３は、認証結果（ディスプレイＩＤ）を該当する携帯端末４へ送信する（ステップＳ３４７）。次いで、認証文字列返却部３１４'は、認証文字列をサーバ装置１へ返却する（ステップＳ３４８）。そして、その後、携帯端末４から送信されてくる画面を紐付けられた枠内へ表示を行い、画面に対して行われた操作情報の携帯端末４への転送を開始し（ステップＳ３４９）、タッチ検出（ステップＳ３３１）に戻る。
【００９３】
また、サーバ装置１からの入力文字列情報の着信がない場合（ステップＳ３４２のＮｏ）または同じであると照合されなかった場合（ステップＳ３４５のＮｏ）、タイマー時間をインクリメントし（ステップＳ３５０）、タイムアウトしたか否か判断する（ステップＳ３５１）。タイムアウトしていない場合（ステップＳ３５１のＮｏ）は、着信のチェック（ステップＳ３４１）に戻る。タイムアウトしている場合（ステップＳ３５１のＹｅｓ）は、認証文字列の返却（ステップＳ３４８）に移行する。
【００９４】
図２４は携帯端末４の処理例を示すフローチャートである。図２４において、携帯端末４は、外部からイベント受信があると（ステップＳ４２１）、入力文字列情報送信要求であるか、入力文字列情報送信中止要求であるか、認証結果（紐付け）であるか、画面操作情報であるかを判断する（ステップＳ４２２〜Ｓ４２５）。
【００９５】
入力文字列情報送信要求である場合（ステップＳ４２２のＹｅｓ）、入力文字列情報送信部４０４'は中止フラグ４０５をＯＦＦにする（ステップＳ４２６）。次いで、入力文字列情報送信部４０４'は、自端末の画面がディスプレイ装置３と紐付け済みであるか否か判断し（ステップＳ４２７）、紐付け済の場合（ステップＳ４２７のＹｅｓ）は、イベント受信（ステップＳ４２１）の待機に戻る。紐付け済でない場合（ステップＳ４２７のＮｏ）、入力文字列情報送信部４０４'は、文字列の入力欄を表示し（ステップＳ４２８）、イベント受信（ステップＳ４２１）の待機に戻る。なお、１台の携帯端末４において複数のアプリのそれぞれにディスプレイ装置３上の枠との紐付けを許容する場合は、紐付け済みの確認はしなくてもよい。
【００９６】
文字列の入力欄の表示の後、入力文字列情報送信部４０４'は、入力欄に文字列が入力されて確定されたか否か判断し（ステップＳ４２９）、入力が確定された場合（ステップＳ４２９のＹｅｓ）に、入力文字列情報を送信する（ステップＳ４３０）。その後、入力文字列情報送信部４０４'は、中止フラグ４０５がＯＮになったか否か判断し（ステップＳ４３１）、中止フラグ４０５がＯＮでない場合（ステップＳ４３１のＮｏ）は文字列の入力を待機する（ステップＳ４２９）。中止フラグ４０５がＯＮになった場合（ステップＳ４３１のＹｅｓ）、入力文字列情報送信部４０４'は文字列の入力欄を消去する（ステップＳ４３２）。
【００９７】
一方、入力文字列情報送信中止要求である場合（ステップＳ４２３のＹｅｓ）、入力文字列情報送信部４０４'は、中止フラグ４０５をＯＮにし（ステップＳ４３３）、文字列の入力欄を消去し（ステップＳ４３４）、イベント受信（ステップＳ４２１）の待機に戻る。
【００９８】
一方、認証結果（紐付け）である場合（ステップＳ４２４のＹｅｓ）、入力文字列情報送信部４０４'は中止フラグ４０５をＯＮにし（ステップＳ４３５）、画面送信部４０９により画面の転送を開始し（ステップＳ４３６）、イベント受信（ステップＳ４２１）の待機に戻る。
【００９９】
一方、画面操作情報である場合（ステップＳ４２５のＹｅｓ）、画面連携アプリ４０８はアプリ画面の遷移を行い（ステップＳ４３７）、画面送信部４０９により画面を転送し（ステップＳ４３８）、イベント受信（ステップＳ４２１）の待機に戻る。
【０１００】
なお、認証文字列の照合をディスプレイ装置３側で行う場合について説明したが、サーバ装置１側で認証文字列の照合を行うようにすることもできる。
【０１０１】
また、ディスプレイ装置３に認証文字列を表示し、携帯端末４からその認証文字列に対応する文字列を入力する場合について説明したが、認証文字列を入力するのと同時に、アプリケーションを特定するアプリＩＤを併せて入力させるようにすることもできる。図２５は携帯端末４への文字列の入力の例を示す図であり、枠の認証文字列に対応する文字列「６７」を入力するとともに、枠内に表示させるアプリケーションのアプリＩＤ「０３」を入力した状態を示している。携帯端末４がＰＣ等である場合には、画面上に複数のアプリケーションのウインドウが表示されている可能性があり、そのどれをディスプレイ装置３上に表示するかを選択することになるが、アプリＩＤを認証文字列と併せて入力させることで、区別が容易になる。
【０１０２】
この場合、入力文字列情報転送部１２'（図１７）、入力文字列情報受信部３０９'（図１８）、文字列入力部４０２'および入力文字列情報送信部４０４'（図１９）は認証文字列に対応した文字列だけでなく、アプリＩＤも併せて扱うように拡張される。また、枠・端末対応テーブル３１２（図１８）は、枠と端末とアプリとを対応付けるように拡張される。
【０１０３】
＜総括＞
以上説明したように、本実施形態によれば、ユーザが所望する表示装置にコンテンツを表示することができる。
【０１０４】
以上、好適な実施の形態により説明した。ここでは特定の具体例を示して説明したが、特許請求の範囲に定義された広範な趣旨および範囲から逸脱することなく、これら具体例に様々な修正および変更を加えることができることは明らかである。すなわち、具体例の詳細および添付の図面により限定されるものと解釈してはならない。
【０１０５】
以上の説明に関し、更に以下の項を開示する。
（付記１）
クライアント端末と、該クライアント端末から配信されるコンテンツを表示可能な複数の表示装置とを対応付けるための認証情報を提供するサーバ装置であって、
クライアント端末の操作に関する情報と対応付けられた認証パターン情報を記憶する記憶部と、
前記複数の表示装置のうちユーザから操作された表示装置に対して、該表示装置から認証パターン情報の返却を受けるまでの期間にて該認証パターン情報を重複して発行できない態様で、前記記憶部に記憶された前記認証パターン情報を発行する発行部と、
を有するサーバ装置。
（付記２）
前記発行部は、ユーザによりコンテンツを表示するエリアを指定する操作が行われた表示装置に対して、前記認証パターン情報を発行する、
付記１に記載のサーバ装置。
（付記３）
前記クライアント端末から該クライアント端末自体の動きを示す動作パターン情報を受信し、前記クライアント端末の傾斜角度の情報に基づいて、同じ傾斜角度の表示装置に対して前記動作パターン情報を転送する転送部、
を有する付記１または２に記載のサーバ装置。
（付記４）
前記認証パターン情報に、動作パターンを案内するガイダンス情報を付加する、
付記１乃至３のいずれか一項に記載のサーバ装置。
（付記５）
クライアント端末から配信されるコンテンツを表示可能な複数の表示装置と、
前記クライアント端末と表示装置とを対応付けるための認証情報を提供するサーバ装置と、
を有するコンテンツ表示制御システムであって、
前記サーバ装置は、
クライアント端末の操作に関する情報と対応付けられた認証パターン情報を記憶する記憶部と、
前記複数の表示装置のうちユーザから操作された表示装置に対して、該表示装置から認証パターン情報の返却を受けるまでの期間にて該認証パターン情報を重複して発行できない態様で、前記記憶部に記憶された前記認証パターン情報を発行する発行部と、
を有し、
前記表示装置は、
前記クライアント端末の動作パターン情報および前記認証パターン情報を受信する受信部と、
前記受信部が受信した認証パターン情報に基づき、該認証パターン情報に対応する動作パターンを出力したクライアント端末から配信されるコンテンツを表示すると共に前記受信部が受信した認証パターン情報を前記サーバ装置に送信する表示制御部と、
を有するコンテンツ表示制御システム。
（付記６）
前記発行部は、ユーザによりコンテンツを表示するエリアを指定する操作が行われた表示装置に対して、前記認証パターン情報を発行する、付記５に記載のコンテンツ表示制御システム。
（付記７）
前記サーバ装置は、
前記クライアント端末から該クライアント端末自体の動きを示す動作パターン情報を受信し、前記クライアント端末の傾斜角度の情報に基づいて、同じ傾斜角度の表示装置に対して前記動作パターン情報を転送する転送部、
を有する付記５または６に記載のコンテンツ表示制御システム。
（付記８）
前記認証パターン情報に、動作パターンを案内するガイダンス情報を付加する、
付記５乃至７のいずれか一項に記載のコンテンツ表示制御システム。
（付記９）
クライアント端末から配信されるコンテンツを表示可能な複数の表示装置と、前記クライアント端末と表示装置とを対応付けるための認証情報を提供するサーバ装置と、を有するコンテンツ表示制御システムを制御するプログラムであって、
前記サーバ装置のコンピュータに、
前記複数の表示装置のうちユーザから操作された表示装置に対して、該表示装置から認証パターン情報の返却を受けるまでの期間にて該認証パターン情報を重複して発行できない態様で、クライアント端末の操作に関する情報と対応付けられた認証パターン情報を記憶する記憶部に記憶された前記認証パターン情報を発行する、
処理を実行させ、
前記表示装置のコンピュータに、
前記クライアント端末の動作パターン情報および前記認証パターン情報を受信し、
受信した認証パターン情報に基づき、該認証パターン情報に対応する動作パターンを出力したクライアント端末から配信されるコンテンツを表示すると共に、受信した認証パターン情報を前記サーバ装置に送信する、
処理を実行させるコンテンツ表示制御プログラム。
（付記１０）
前記発行する処理は、ユーザによりコンテンツを表示するエリアを指定する操作が行われた表示装置に対して、前記認証パターン情報を発行する、
付記９に記載のコンテンツ表示制御プログラム。
（付記１１）
前記サーバ装置のコンピュータに、
前記クライアント端末から該クライアント端末自体の動きを示す動作パターン情報を受信し、前記クライアント端末の傾斜角度の情報に基づいて、同じ傾斜角度の表示装置に対して前記動作パターン情報を転送する、
処理を実行させる付記９または１０に記載のコンテンツ表示制御プログラム。
（付記１２）
前記認証パターン情報に、動作パターンを案内するガイダンス情報を付加する、
付記９乃至１１のいずれか一項に記載のコンテンツ表示制御プログラム。
【符号の説明】
【０１０６】
１            サーバ装置
１１          認証動きパターン管理部
１１'        認証文字列管理部
１２          端末動き情報転送部
１２'        入力文字列情報転送部
１３          認証動きパターンＤＢ
１４          パターン貸与中ディスプレイリスト
１４'        認証文字列払出中ディスプレイリスト
１５          端末動き情報転送先テーブル
１６          ディスプレイ傾斜角度テーブル
２            ネットワーク
３            ディスプレイ装置
３０１        タッチセンサ
３０２        操作認識部
３０３        認証動きパターン要求送信部
３０３'      認証文字列要求送信部
３０４        操作情報送信部
３０５        認証動きパターン受信部
３０５'      認証文字列受信部
３０６        認証動きパターン
３０６'      認証文字列
３０７        ガイダンス表示部
３０７'      認証文字列表示部
３０８        ディスプレイ
３０９        端末動き情報受信部
３０９'      入力文字列情報受信部
３１０        端末動き情報
３１０'      入力文字列情報
３１１        認証処理部
３１２        枠・端末対応テーブル
３１３        認証結果送信部
３１４        認証動きパターン返却部
３１４'      認証文字列返却部
３１５        画面受信部
４            携帯端末
４０１        内蔵ＩＭＵセンサ
４０２        端末動き認識部
４０２'      文字列入力部
４０３        傾斜角度計算部
４０４        端末動き情報送信部
４０４'      入力文字列情報送信部
４０５        中止フラグ
４０６        認証結果受信部
４０７        ディスプレイＩＤ
４０８        画面連携アプリ
４０９        画面送信部
４１０        操作情報受信部
【図１】
0006699455.tif 000002
【図２】
0006699455.tif 000003
【図３】
0006699455.tif 000004
【図４】
0006699455.tif 000005
【図５】
0006699455.tif 000006
【図６】
0006699455.tif 000007
【図７】
0006699455.tif 000008
【図８】
0006699455.tif 000009
【図９】
0006699455.tif 000010
【図１０】
0006699455.tif 000011
【図１１】
0006699455.tif 000012
【図１２】
0006699455.tif 000013
【図１３】
0006699455.tif 000014
【図１４】
0006699455.tif 000015
【図１５】
0006699455.tif 000016
【図１６】
0006699455.tif 000017
【図１７】
0006699455.tif 000018
【図１８】
0006699455.tif 000019
【図１９】
0006699455.tif 000020
【図２０】
0006699455.tif 000021
【図２１】
0006699455.tif 000022
【図２２】
0006699455.tif 000023
【図２３】
0006699455.tif 000024
【図２４】
0006699455.tif 000025
【図２５】
0006699455.tif 000026